(57)【特許請求の範囲】
【請求項１】
音波を空間に放射するホーンと、ドーム状の振動板と、前記振動板から発した音を前記ホーンのスロート部に導入するフェイズプラグとを有するホーンスピーカにおいて、
前記振動板の外周部に固定されたボイスコイルボビンと、
前記振動板またはボイスコイルボビンを支持するエッジと、
前記エッジを介して前記振動板および前記ボイスコイルボビンを振動可能に支持し、前記ボイスコイルボビンを内部に保持する磁気ギャップを含む磁気回路を有する保持体とを備え、
前記保持体は、
前記ホーンのスロート部と前記フェイズプラグとの間に介挿された筒状のポールピースと、
前記ポールピースの外周面を取り囲んだ状態で固定された環状のバックプレートと、
前記ポールピースの外周面と空隙を挟んで対向し、前記バックプレートに固定された環状マグネットと、
前記ポールピースの外周面と空隙を挟んで対向し、前記環状マグネットに固定された環状のトッププレートと、
前記トッププレートに固定された環状のスペーサリングとを有し、
前記エッジの外周部は前記スペーサリングの内周面に固定されており、
前記ポールピース、前記バックプレート、前記環状マグネットおよび前記トッププレートは、前記トッププレートと前記ポールピースとの間の空隙を前記磁気ギャップとする前記磁気回路を構成しており、
前記トッププレートと前記スペーサリングは、前記磁気ギャップを前記保持体の外側の空間に連通させる空気流通路となる空隙を間に挟んだ状態で対向しており、
前記トッププレートにおいて前記空隙を挟んで前記スペーサリングと対向する面の端部が丸められ、前記スペーサリングにおいて前記空隙を挟んで前記トッププレートと対向する面の端部が丸められていることを特徴とするホーンスピーカ。
【請求項２】
音波を空間に放射するホーンと、ドーム状の振動板と、前記振動板から発した音を前記ホーンのスロート部に導入するフェイズプラグとを有するホーンスピーカにおいて、
前記振動板の外周部に固定されたボイスコイルボビンと、
前記振動板またはボイスコイルボビンを支持するエッジと、
前記エッジを介して前記振動板および前記ボイスコイルボビンを振動可能に支持し、前記ボイスコイルボビンを内部に保持する磁気ギャップを含む磁気回路を有する保持体とを備え、
前記保持体は、
前記ホーンのスロート部と前記フェイズプラグとの間に介挿された筒状のポールピースと、
前記ポールピースの外周面を取り囲んだ状態で固定された環状のバックプレートと、
前記ポールピースの外周面と空隙を挟んで対向し、前記バックプレートに固定された環状マグネットと、
前記ポールピースの外周面と空隙を挟んで対向し、前記環状マグネットに固定された環状のトッププレートと、
前記トッププレートに固定された環状のスペーサリングとを有し、
前記エッジの外周部は前記スペーサリングの内周面に固定されており、
前記ポールピース、前記バックプレート、前記環状マグネットおよび前記トッププレートは、前記トッププレートと前記ポールピースとの間の空隙を前記磁気ギャップとする前記磁気回路を構成しており、
前記トッププレートと前記スペーサリングは、前記磁気ギャップを前記保持体の外側の空間に連通させる空気流通路を間に挟んだ状態で対向しており、
前記空気流通路に吸音材が充填されていることを特徴とするホーンスピーカ。
【発明の詳細な説明】
【技術分野】
【０００１】
本発明は、スリットが設けられたフェイズプラグを有するホーンスピーカに関する。
【背景技術】
【０００２】
ホーンスピーカは、音波を空間に放射するホーンと、ドーム状の振動板と、振動板から発した音をホーンのスロート部に導入するフェイズプラグ（位相等化器）とを有している。ホーンスピーカの中には、スリットが設けられたフェイズプラグを振動板とホーンの間に配したものがある。図７は、この種のホーンスピーカ８の縦断面図である。また、図８（Ａ）は、このホーンスピーカ８のフェイズプラグ７０を振動板７６側から見た図である。
【０００３】
図７に示すように、ホーンスピーカ８のフェイズプラグ７０は、円錐状部材７１、円錐状部材７１の外周を取り囲む環状部材７２、及び環状部材７２の外周を取り囲む環状部材７３を各々の間にスリット７４，７５を空けるようにして一部連結した構造になっている。フェイズプラグ７０における振動板７６に対向する集音面８７は、振動板７６に沿って湾曲している。そして、図８（Ａ）に示すように、集音面８７におけるスリット７４，７５の各々は、集音面８７の中心からの距離が均一な円環状をなしている。
【０００４】
フェイズプラグ７０の環状部材７３には環状マグネット７９が埋め込まれている。この環状マグネット７９は、一方の底面（例えばホーン７７側の底面）にＮ極があり、その反対側の底面にＳ極がある。フェイズプラグ７０の周りにはポールピース８０がある。フェイズプラグ７０、環状マグネット７９、およびポールピース８０は、環状マグネット７９が発生した磁力線を一巡させる磁気回路を構成している。
【０００５】
フェイズプラグ７０の外周壁８１とポールピース８０の内周壁８２の間には磁気ギャップＡＧがある。磁気回路を一巡する磁束はこの磁気ギャップＡＧを横切る。振動板７６の外周部には、フェイズプラグ７０の外周壁８１の直径よりも大きくポールピース８０の内周壁８２の直径よりも小さな直径をもった円筒状のボイスコイルボビン８３が固定されている。ボイスコイルボビン８３には、ボイスコイル（不図示）が巻回されている。そして、振動板７６は、ボイスコイルボビン８３が磁気ギャップＡＧに収容されるような状態で支持される。
【０００６】
振動板７６を支持する構成は次の通りである。ポールピース８０の端面にはスペーサリング８４が固定されている。そして、環状のエッジ８６が振動板７６を取り囲むようにして振動板７６の外周部を支持し、そのエッジ８６の外周部がスペーサリング８４の内周壁８５に固定されている。
【０００７】
以上のような構成を有するホーンスピーカ８において、ボイスコイルボビン８３のボイスコイルに音声信号の電流を流すと、ボイスコイルボビン８３には、フェイズプラグ７０の中心軸ａｘに平行な方向の駆動力が与えられ、ボイスコイルボビン８３に固定された振動板７６が振動する。振動板７６が振動すると、振動板７６とフェイズプラグ７０の間の空間ＯＳがフェイズプラグ７０の各スリット７４，７５を介して押し出されたり引き戻されたりする。そして、この押し出されたり引き戻される空気の粗密波が、音波としてホーン７７の外部空間へ放射される。
【０００８】
ここで、図７に示すように、振動板７６とフェイズプラグ７０に挟まれた空間ＯＳの外周部側は、フェイズプラグ７０、ポールピース８０、スペーサリング８４、およびエッジ８６によって塞がれている。このため、振動板７６がある周波数で振動すると空間内に共鳴現象が発生する。その結果、共鳴現象が発生する周波数においてホーンスピーカ８の再生周波数特性にピークやディップが発生してしまう。
【０００９】
この問題を解決するため、従来のホーンスピーカ８のフェイズプラグ７０には、以下に説明するような設計上の対策が施されている。図８（Ｂ）は、振動板７６が、その中心に対して同心円状に１つの節ができるような状態（以下、この状態を「１次モード」という）で振動している様子を示した図である。図８（Ｃ）は、振動板７６が、その中心に対して同心円状に２つの節ができるような状態（以下、この状態を「２次モード」という）で振動している様子を示す図である。簡便のため、図８（Ｂ），図８（Ｃ）では、振動板７６を直線状としてその振動の様子を示している。従来のホーンスピーカ８のフェイズプラグ７０では、図８（Ａ），図８（Ｂ），図８（Ｃ）に示すように、以下の２つの条件ａ．ｂ．を満たすように集音面８７におけるスリット７４，７５の配置を決めていた（詳しくは、非特許文献１を参照）。
条件ａ．振動板７６が１次モードで振動しているときにできる１つの節の内側と外側にスリット７４，７５の各々があり、その節からスリット７４，７５までの距離がほぼ等しい。
条件ｂ．振動板７６が２次モードで振動しているときにできる２つの節と２つのスリット７４，７５が各々重なる。
【００１０】
しかし、この対策では、ホーンスピーカ８の再生周波数特性に大きなピークが発生することは防止できるもののディップが発生することは防止できないという問題があった。その理由は、以下に説明する通りである。１次モードでは、振動板７６の振動の節が内側のスリット７４と外側のスリット７５の真中に位置する。このため、振動板７６が１次モードで振動している場合、スリット７４の入り口に発生する音の音圧とスリット７５の入り口に発生する音の音圧は逆位相となる。よって、それらスリット７４，７５の合流点において各スリット７４，７５を伝搬した音の音圧が相殺されてしまう。従って、ホーンスピーカ８の再生周波数特性では、１次モードの周波数においてディップが発生する。また、振動板７６が２次モードで振動している場合、振動板７６の振動の節が内側のスリット７４と外側のスリット７５の各々に位置する。このため、スリット７４の入り口に発生する音の音圧とスリット７５の入り口に発生する音の音圧はいずれもほぼ０になる。従って、ホーンスピーカ８の再生周波数特性では、２次モードの周波数においてディップが発生する。
【００１１】
特許文献１には、以上説明した各振動モードにおけるディップの発生に対する対策となる技術の開示がある。図９に示すように、特許文献１に開示されたホーンスピーカ８Ａでは、フェイズプラグ７０の外周壁８１とポールピース８０の内周壁８２の間の隙間をホーン７７のスロート部７８まで延在させることにより補助スリット９０が形成されている。この構成では、補助スリット９０により、振動板７６とフェイズプラグ７０の間に挟まれた空間ＯＳの外周部の空間が、フェイズプラグ７０の前方の空間であるホーン７７内の空間に繋がり、空間ＯＳの閉塞状態が解消される。このため、共鳴現象が発生し難くなる。従って、非特許文献１に開示されたような設計上の対策を講じる必要もなくなる。
【先行技術文献】
【特許文献】
【００１２】
【非特許文献１】BobH. Smith、An Investigation of the Air Chamber of HornType Loudspeakers、THE JOURNAL OF THE ACOUSTICAL SOCIETYOF AMERICA、米国、１９５３年３月、P.305〜P.312
【特許文献１】米国特許第５１１７４６２号明細書
【発明の概要】
【発明が解決しようとする課題】
【００１３】
しかしながら、特許文献１に開示された技術には次のような問題があった。第１に、特許文献１の技術では、補助スリット９０の形状を、そのスリット９０内を伝わる音波の位相と他のスリット７４，７５内を伝わる音波の位相とが揃うようなものにしなければならない。このため、補助スリット９０やフェイズプラグ７０の形状が複雑になる。第２に、特許文献１の技術では、エッジ８６とポールピース８０との間の空間における補助スリット９０に連通する側と反対側の端部がスペーサリング８４により塞がれる。このため、スペーサリング８４とエッジ８６及びポールピース８０とに囲まれた空間において共鳴現象が発生してしまう。第３に、特許文献１の技術では、振動板７６の外周部において振動板７６と異なる動きをするエッジ８６により生成される音波までも、補助スリット９０内を伝わってホーン７７から外部空間に放射される。このため、スリット７４，７５内を伝わる音波だけをホーン７７から外部空間に放射するものよりも音質が悪くなる。
本発明は、このような背景の下に案出されたものであり、ホーンスピーカの再生周波数特性を平坦にすることを目的とする。
【課題を解決するための手段】
【００１４】
本発明は、音波を空間に放射するホーンと、ドーム状の振動板と、前記振動板から発した音を前記ホーンのスロート部に導入するフェイズプラグを有するホーンスピーカにおいて、前記振動板の外周部に固定されたボイスコイルボビンと、前記エッジまたはボイスコイルボビンを支持するエッジと、前記エッジを介して前記振動板および前記ボイスコイルボビンを振動可能に支持し、前記ボイスコイルボビンを内部に保持する磁気ギャップを含む磁気回路を有する保持体とを備え、前記保持体が、前記磁気ギャップを前記保持体の外側の空間に連通させる空気流通路を有することを特徴とするホーンスピーカを提供する。
【００１５】
この発明では、振動板とフェイズプラグの間の空間と、保持体の外側にある無限大の拡がりを持った空間とが空気流通路を介して連通する。よって、本発明によると、振動板とフェイズプラグの間の空間を閉塞した場合に比べて共鳴現象を発生し難くなる。従って、ホーンスピーカの再生周波数特性を平坦にすることができる。また、この発明では、空気流通路の出口が保持体の外側に向いている。従って、エッジの振動により生成される音波までもがホーンから放音されて音質が悪くなる、という事態を回避することができる。
【００１６】
この発明において、前記保持体は、前記磁気ギャップを前記保持体の外側の空間に連通させる空気流通路であって、当該空気流通路が前記磁気回路を一巡する磁束と交差しないように形成された空気流通路を有していてもよい。このような構成によると、ホーンスピーカの再生周波数特性の平坦化と引き換えに磁気回路からボイスコイルボビンに与えられる駆動力が弱められてしまう、という事態の発生を回避することができる。
【図面の簡単な説明】
【００１７】
【図１】本発明の一実施形態であるホーンスピーカの縦断面図である。
【図２】同ホーンスピーカにおけるホーンの一部を除いた残りの部分の拡大図である。
【図３】同ホーンスピーカを振動板の背面の側から見た図である。
【図４】本発明の他の実施形態であるホーンスピーカの拡大図である。
【図５】本発明の他の実施形態であるホーンスピーカの拡大図である。
【図６】本発明の他の実施形態であるホーンスピーカの拡大図である。
【図７】従来のホーンスピーカの縦断面図である。
【図８】従来のホーンスピーカにおける振動モードとフェイズプラグのスリットの位置との関係を示す図である。
【図９】従来のホーンスピーカの縦断面図である。
【発明を実施するための形態】
【００１８】
以下、図面を参照しつつ本発明の実施の形態について説明する。図１は、この発明の一実施形態であるホーンスピーカ５の縦断面図である。図２は、図１におけるホーン１４の一部を除いた残りの部分の拡大図である。図１及び図２において、ポールピース１０の外形は、小径の筒体と大径の筒体とを連結させたような形状をなしている。ポールピース１０の中心には導音孔１１が穿設されている。ポールピース１０の一端面における導音孔１１の開口部１３にはホーン１４のスロート部５５が連結されており、ポールピース１０とホーン１４とが一体となって、本発明のホーンスピーカ５のホーンを構成している。ポールピース１０の他端面にはフェイズプラグ１６が固定されている。フェイズプラグ１６の背後には湾曲面であるドーム状の振動板１７がある。この振動板１７は、当該振動板１７における音の放射方向に対して凹んだ凹曲面（以下、この凹曲面を放射面４９という）をフェイズプラグ１６に向けて支持されている。この振動板１７を支持する構成の詳細は、後述する。
【００１９】
フェイズプラグ１６は、振動板１７の振動によって発生する音波の位相を揃える位相等化器としての役割を果たす部材である。フェイズプラグ１６は、円錐状部材１８とその外周を取り囲む環状部材１９、及び環状部材１９とその外周を取り囲む環状部材２０を各々の間にスリット２１，２２を空けるようにして一部連結した構造になっている。フェイズプラグ１６として連結された部材１８、１９及び２０における振動板１７に対向する面は、振動板１７の放射面４９の形状に対応した凸曲面（以下、この凸曲面を音集面４５という）をなしている。円錐状部材１８と環状部材１９の間の隙間および環状部材１９と環状部材２０の間の隙間は、音集面４５から導音孔１１に向かって延在するスリット２１，２２を構成する。これらスリット２１，２２の各々の断面形状は、音響孔１１に近づくに従って拡がるテーパ状をなしている。なお、図２では、スリット２１，２２の一部が集音面４５に至る途中で閉塞しているが、これは、図２の断面におけるそれらの閉塞箇所において、円錐状部材１８と環状部材１９および環状部材１９と環状部材２０が連結されていることを示すものである。
【００２０】
振動板１７の外周部には、円筒状のボイスコイルボビン３９が固定されている。ボイスコイルボビン３９と振動板１７の周端との接続部近傍の僅かにホーン１４寄りの位置には、ボイスコイルボビン３９を取り囲んで支持するエッジ４０が設けられている。
【００２１】
ポールピース１０、フェイズプラグ１６、および振動板１７の周りには、バックプレート３１、環状マグネット３２、トッププレート３３、およびスペーサリング３４がある。バックプレート３１、環状マグネット３２、トッププレート３３、スペーサリング３４、及びポールピース１０は、ボイスコイルボビン３９を内部に保持する磁気ギャップＡＧ１を含む磁気回路を有する保持体としての役割を果たす。また、この保持体をなす５つの部材のうちスペーサリング３４は、エッジ４０を介して振動板１７及びボイスコイルボビン３９を振動自在に支持する役割を果たす。
【００２２】
より詳細に説明すると、バックプレート３１、環状マグネット３２、およびトッププレート３３は、異なる内周径を持った円環状をなしている。スペーサリング３４は、小径の筒体と大径の筒体とを連結させた形状をなしている。バックプレート３１、環状マグネット３２、トッププレート３３、およびスペーサリング３４の各々における外周よりも僅かに内側には各々の一端面と他端面の間を貫く４つのネジ穴が等間隔を空けて穿設されている。
【００２３】
バックプレート３１は、ポールピース１０を取り囲んだ状態でポールピース１０に対して固定されている。そして、図２及び図３に示すように、バックプレート３１、環状マグネット３２、トッププレート３３、およびスペーサリング３４は、トッププレート３３とスペーサリング３４の間に４つの筒形スペーサ５２−１，５２−２，５２−３，及び５２−４を挟んで重ねられ、スペーサリング３４の側から各々のネジ穴と筒型スペーサ５２−１，５２−２，５２−３，５２−４にネジ５０−１，５０−２，５０−３，５０−４を螺合することによって、一体化されている。
【００２４】
バックプレート３１、環状マグネット３２、トッププレート３３、およびスペーサリング３４が一体化された状態において、環状マグネット３２の内周壁３５とポールピース１０の外周壁３７は空隙を空けて対向し、トッププレート３３の内周壁３６とポールピース１０の外周壁３７は、より狭い隙間である磁気ギャップＡＧ１を空けて対向している。バックプレート３１におけるホーン１４と反対側の端面には環状マグネット３２の一方の端面が固定されており、環状マグネット３２の他方の端面にはトッププレート３３の一方の端面が固定されている。トッププレート３３の他方の端面には、筒型スペーサ５２−１，５２−２，５２−３，５２−４の幅の空隙ＸＳを挟んでスペーサリング３４の一方の端面が固定されており、トッププレート３３とスペーサリング３４の間の空隙ＸＳには吸音材５３が詰め込まれている。この空隙ＸＳは、磁気ギャップＡＧ１をスペーサリング３４の外周壁９５の外側の空間に連通させる空気流通路を構成する。
【００２５】
バックプレート３１、トッププレート３３、及びポールピース１０は、高透磁率の材料から形成されている。また、環状マグネット３２は、一方の端面（例えばバックプレート３１側の端面）にＮ極があり、他方の端面（例えばトッププレート３３側の端面）にＳ極がある。そして、バックプレート３１、トッププレート３３、及びポールピース１０が、環状マグネット３２が発生した磁力線を一巡させる磁気回路を構成する。この磁気回路を一巡する磁束が磁気ギャップＡＧ１を横切る。
【００２６】
スペーサリング３４の内周面４１には、振動板１７及びボイスコイルボビン３９を取り囲むエッジ４０の外周部が固定されている。エッジ４０の外周部がスペーサリング３４に固定された状態において、振動板１７の音波の放射面４９（凹面）とフェイズプラグ１６の集音面４５（凸面）は空隙を挟んで対向する。また、ボイスコイルボビン３９におけるボイスコイル（不図示）が巻回されている先端部分は磁気ギャップＡＧ１に収容されている。
【００２７】
ホーンスピーカ５の構成は、以上説明した通りである。このホーンスピーカ５は、以下のようにして動作する。振動板１７のボイスコイルボビン３９に巻回されているボイスコイル（不図示）に音声信号の電流を流すと、この電流は磁気ギャップＡＧ１内の磁束と交差する。このため、ボイスコイルボビン３９には、そのボイスコイル（不図示）に流れる電流の方向と磁気ギャップＡＧ１における磁束の方向の両方に直交する方向（より具体的には、ポールピース１０の中心軸ｂｘに平行な方向）の駆動力が与えられ、ボイスコイルボビン３９に固定された振動板１７が振動する。振動板１７が振動すると、この振動により、振動板１７及びフェイズプラグ１６間の空間ＯＳ１内の空気がフェイズプラグ１６の各スリット２１，２２を介して導音孔１１に押し出されたり引き戻されたりする。そして、この押し出されたり引き戻される空気の粗密波が、音波として導音孔１１を経由し、ホーン１４から外部空間へ放射される。
【００２８】
以上説明した本実施形態では、空隙ＸＳにおける磁気ギャップＡＧ１と連通する側と反対側がスペーサリング３４の外側の外部空間に開放されている。この開放により、空間ＯＳ１は、磁気ギャップＡＧ１、ボイスコイルボビン３９の外側におけるエッジ４０とトッププレート３３に挟まれた空間ＡＳ１（図２）、及び空隙ＸＳを介して外部空間と連通する。外部空間は無限大の拡がりを持った空間であるから、その音響インピーダンスＺのリアクタンス成分はほぼ０である。このため、空間ＯＳ１を外部空間と連通させた場合における空間ＯＳ１の音響インピーダンスＺのリアクタンス成分は０に近づく。よって、本実施形態では、空間ＯＳ１を外部空間と連通させない場合に比べて、空間ＯＳ１の音響インピーダンスＺのリアクタンス成分に起因する共鳴現象が発生し難くなる。従って、ホーンスピーカ５の再生周波数特性を平坦にすることができる。
【００２９】
また、本実施形態のホーンスピーカ５では、空隙ＸＳにおける内周壁４１側の開口部がエッジ４０の近傍にあるため、エッジ４０の振動により生成される音波が空隙ＸＳを通ってその外側に漏れる。しかし、空隙ＸＳの外周壁９５側の開口部は放音方向と直交する方向（ポールピース１０の中心軸ｂｘと直交する方向）に向いている。従って、エッジ４０の振動により生成される音波までもがホーン１４から放音されて音質が悪くなる、という事態を回避することができる。
【００３０】
また、本実施形態では、空気流通路たる空隙ＸＳが磁気回路を一巡する磁束と交差しないように形成されている。従って、ホーンスピーカ５の再生周波数特性の平坦化と引き換えに磁気回路からボイスコイルボビン３９に与えられる駆動力が弱められてしまう、という事態の発生を回避することができる。
【００３１】
以上、この発明の一実施形態について説明したが、この発明には他にも実施形態があり得る。例えば、以下の通りである。
（１）上記実施形態において、エッジ４０は、振動板１７の外周部から延在するボイスコイルボビン３９ではなく振動板１７の外周部自体を外側から支持してもよい。
（２）上記実施形態では、スペーサリング３４とトッププレート３３の間の空隙ＸＳは、ポールピース１０の中心軸ｂｘと直交する平面に沿って拡がっていた。しかし、スペーサリング３４とトッププレート３３の間の空隙ＸＳをこの平面の方向と異なる方向に向かって形成してもよい。
【００３２】
（３）上記実施形態では、スペーサリング３４とトッププレート３３の端面間に筒型スペーサ５２−１，５２−２，５２−３，５２−４を挟み、それら両面の間に空気流通路である空隙ＸＳを設けた。しかし、スペーサリング３４とトッププレート３３の間に空隙ＸＳを設けない代わりに、スペーサリング３４自体に空気流通路としての役割を果たす孔ＸＳ’を設けてもよい。たとえば、図４に示すホーンスピーカ５Ａのように、スペーサリング３４の内周壁４１におけるエッジ４０とトッププレート３３に挟まれた領域からその外周壁９５に至る複数本の孔ＸＳ’を放射状に設けてもよい。この場合において、スペーサリング３４における各孔ＸＳ’は、スペーサリング３４の他端面側から螺合されているネジ５０−１，５０−２，５０−３，５０−４と交差する方向を避けて穿設するとよい。
【００３３】
（４）上記実施形態では、空気流通路たる空隙ＸＳが、ボイスコイルボビン３９の外側におけるエッジ４０とトッププレート３３に挟まれた空間ＡＳ１からポールピース１０の中心軸ｂｘと直交する方向に向かって設けられていた。しかし、空隙ＸＳを設ける方向は中心軸ｂｘと直交する方向である必要はない。たとえば、図５に示すホーンスピーカ５Ｂのように、磁気ギャップＡＧ１からポールピース１０の中心軸ｂｘと平行な方向に向かって延在する空隙ＸＳ”を空隙ＸＳの代わりに設けてもよい。このホーンスピーカ５Ｂでは、バックプレート３１の両端面間に、ボイスコイルボビン３９の直径とほぼ同じ直径を持った環状の空洞が穿設されている。この環状の空洞の幅は、環状マグネット３２の内周壁３５とポールピース１０の外周壁３７の間の幅と同じである。また、ホーン１４におけるバックプレート３１に接続されている基端部の両端面間にも、ボイスコイルボビン３９の直径とほぼ同じ直径を持った環状の空洞が穿設されている。この環状の空洞の幅も、環状マグネット３２の内周壁３５とポールピース１０の外周壁３７の間の幅と同じである。そして、このバックプレート３１の空洞とホーン１４の基端部の空洞とにより、空隙ＸＳ”が形成される。このホーンスピーカ５Ｂでは、空隙ＸＳ”における磁気ギャップＡＧ１と連通する側と反対側がホーン１４の基端部の外側の外部空間に開放されている。この開放により、空間ＯＳ１は、磁気ギャップＡＧ１及び空隙ＸＳ”を介して外部空間と連通する。よって、上記実施形態と同様の効果を得ることができる。
【００３４】
（６）上記実施形態において、図６に示すように、スペーサリング３４の内周壁４１と外周壁９５におけるトッププレート３３に対向する面側の端部を丸めるとともに、トッププレート３３の外周壁９６におけるスペーサリング３４に対向する面側の端部を丸めることにより、スペーサリング３４とトッププレート３３の間の空隙ＸＳの開口部の幅を拡げてもよい。この実施形態によると、磁気ギャップＡＧ１から空隙ＸＳに至る途中に介在するエッジ４０とトッププレート３３に挟まれた空間ＡＳ１と空隙ＸＳとの間の音響インピーダンスの変化、および空間ＸＳとスペーサリング３４の外周壁９５側の外部の空間との間の音響インピーダンスの変化が緩やかになる。従って、空隙ＸＳから外周壁９５側の外部の空間に向かう音波が空隙ＸＳ側に戻される反射波、および空間ＡＳ１から空隙ＸＳに向かう反射波を少なくし、共鳴現象の発生をより確実に防ぐことができる。同様に、（２）の実施形態においてスペーサリング３４に設けられる孔ＸＳ’の一端または両端の開口部の大きさを拡げて、音響インピーダンスの整合を図ってもよい。
【００３５】
（７）上記実施形態では、スペーサリング３４とトッププレート３３の間に磁気ギャップＡＧ１と連通する隙間ＸＳが形成され、この隙間ＸＳに吸音材５３が詰め込まれていた。しかし、隙間ＸＳを設けずに、トッププレート３３とエッジ４０に挟まれた空間におけるスペーサリング３４側を塞いでもよい。この場合において、保持体たるスペーサリング３４及びトッププレート３３とエッジ４０とに囲まれ且つ磁気ギャップＡＧ１に連通した空間内に吸音材を充填するとよい。この実施形態の構成を概念的に示すと、「音波を空間に放射するホーンと、ドーム状の振動板と、前記振動板から発した音を前記ホーンのスロート部に導入するフェイズプラグを有するホーンスピーカにおいて、前記振動板の外周部に固定されたボイスコイルボビンと、前記振動板またはボイスコイルボビンを支持するエッジと、前記エッジを介して前記振動板および前記ボイスコイルボビンを振動可能に支持し、前記ボイスコイルボビンを内部に保持する磁気ギャップを含む磁気回路を有する保持体とを備え、前記保持体と前記エッジとに囲まれ且つ前記磁気ギャップに連通した空間内に吸音材が充填さていることを特徴とするホーンスピーカ。」となる。
【符号の説明】
【００３６】
５…ホーンスピーカ、１０…ポールピース、１１…導音孔、１４…ホーン、１６…フェイズプラグ、１７…振動板、１８…円錐状部材、１９，２０…環状部材，３１…バックプレート、３２…環状マグネット、３３…トッププレート、３４…スペーサリング、３９…ボイスコイルボビン、４０…エッジ、５２…筒形スペーサ、５３…吸音材
【図１】
0005560893.tif 000002
【図２】
0005560893.tif 000003
【図３】
0005560893.tif 000004
【図４】
0005560893.tif 000005
【図５】
0005560893.tif 000006
【図６】
0005560893.tif 000007
【図７】
0005560893.tif 000008
【図８】
0005560893.tif 000009
【図９】
0005560893.tif 000010